(57)【特許請求の範囲】
【請求項１】
クレジットカード引換え請求書兼仮クレジットカード機能レシートであって、日本語でのクレジットカード申込者名が印字されたクレジットカード申込者日本語記載欄、ローマ字でのクレジットカード申込者名が印字されたクレジットカード申込者ローマ字記載欄、該レシートが本クレジットカードであるＩＣカードの引換券である旨が印字された引換券表示欄、該レシートでクレジットで買い物ができる旨が印字されたクレジット表示欄、仮クレジットカード番号をバーコードで印字したバーコード欄を少なくとも備え、該クレジットカード引換え請求書兼仮クレジットカード機能レシートが、ＰＯＳ装置に備えられている通常のレシートと同様の紙に、該ＰＯＳ装置により印字されたものであることを特徴とするクレジットカード引換え請求書兼仮クレジットカード機能レシート。
【請求項２】
前記クレジットカード申込者ローマ字記載欄に記載された「クレジットカード申込者のローマ字記載を確認して下さい」の旨のメッセージが印字された第１メッセージ欄を更に備えた請求項１に記載のクレジットカード引換え請求書兼仮クレジットカード機能レシート。
【請求項３】
クレジットカード申込者の署名欄を更に備えた請求項１または２に記載のクレジットカード引換え請求書兼仮クレジットカード機能レシート。
【請求項４】
本クレジットカード引き換え期日を印字した期日表示欄を更に備えた請求項１〜３のいずれかに記載のクレジットカード引換え請求書兼仮クレジットカード機能レシート。
【請求項５】
ショッピングをクレジット扱いで行える限度額を印字した利用可能枠表示欄を更に備えた請求項１〜４のいずれかに記載のクレジットカード引換え請求書兼仮クレジットカード機能レシート。
【請求項６】
該レシートを、仮クレジットカードとして用いることのできる期日または回数を印字した仮カード期日表示欄を更に備えた請求項１〜５のいずれかに記載のクレジットカード引換え請求書兼仮クレジットカード機能レシート。
【請求項７】
支払日を印字した支払日表示欄を更に備えた請求項１〜６のいずれかに記載のクレジットカード引換え請求書兼仮クレジットカード機能レシート。
【請求項８】
請求項１〜７のいずれかに記載の引換え請求書兼仮クレジットカード機能レシートを発行するプリンタを備えていることを特徴とするＰＯＳ装置。
【請求項９】
請求項１〜７のいずれかに記載の引換え請求書兼仮クレジットカード機能レシートのバーコード欄に表示された仮クレジットカード番号を示すバーコードを読み取って、本クレジットカードであるＩＣカード発行の作業を開始することを特徴とするクレジットカード発行装置。
【発明の詳細な説明】
【技術分野】
【０００１】
本発明は、クレジットカード引換え請求書兼仮クレジットカード機能レシート、それを発行することのできるＰＯＳ装置、および前記クレジットカード引換え請求書兼仮クレジットカード機能レシートを用いてのクレジットカード発行装置に関する。
【背景技術】
【０００２】
ＩＣカードであるクレジットカードやキャッシュカード等は、磁気カードに比してカード発行工程が複雑になり、かつ高いセキュリティを必要とする。したがって、ＩＣカードであるクレジットカードは、申込からカード発行まで相当の時間が掛かる。
【０００３】
そこで、ＩＣカードであるクレジットカードの発行が申し込まれた場合、通常、磁気ストライプを備えたプラスチックカードで形成された仮カードを発行し、それをクレジットでのショッピングの精算の際に使用して貰うようになっている。ショッピング精算後、顧客が店内のカードセンタにお持ち戴くと、そのカードの磁気部分を読み込み、本カードの発行を行う。その際、仮カードは廃棄処分している。
【０００４】
このように、従来の仮カードは、一時的な使用にもかかわらず、一般的に、磁気ストライプを備えたプラスチックカードで形成されているので、コストがかかり、かつ在庫管理が必要であると言う欠点がある。しかも、一時的に使用して廃棄してしまうので、資源の無駄を招く。
【発明の開示】
【発明が解決しようとする課題】
【０００５】
そこで、本発明は、低コストで発行でき、在庫管理も不要で、資源の無駄を抑えることができるクレジットカード引換え請求書兼仮クレジットカード機能レシート、そのレシートを発行することのできるＰＯＳ装置および前記クレジットカード引換え請求書兼仮クレジットカード機能レシートを用いたクレジットカード発行装置を提供することを目的とするものである。
【課題を解決するための手段】
【０００６】
前記課題は、下記（１）〜（９）の構成の本発明のクレジットカード引換え請求書兼仮クレジットカード機能レシート、ＰＯＳ装置およびクレジットカード発行装置により達成される。
（１）
クレジットカード引換え請求書兼仮クレジットカード機能レシートであって、日本語でのクレジットカード申込者名が印字されたクレジットカード申込者日本語記載欄、ローマ字でのクレジットカード申込者名が印字されたクレジットカード申込者ローマ字記載欄、該レシートが本クレジットカードであるＩＣカードの引換券である旨が印字された引換券表示欄、該レシートでクレジットで買い物ができる旨が印字されたクレジット表示欄、仮クレジットカード番号をバーコードで印字したバーコード欄を少なくとも備え、該クレジットカード引換え請求書兼仮クレジットカード機能レシートが、ＰＯＳ装置に備えられている通常のレシートと同様の紙に、該ＰＯＳ装置により印字されたものであることを特徴とするクレジットカード引換え請求書兼仮クレジットカード機能レシート。
（２）
前記クレジットカード申込者ローマ字記載欄に記載された「クレジットカード申込者のローマ字記載を確認して下さい」の旨のメッセージが印字された第１メッセージ欄を更に備えた前記（１）に記載のクレジットカード引換え請求書兼仮クレジットカード機能レシート。
（３）
クレジットカード申込者の署名欄を更に備えた前記（１）または（２）に記載のクレジットカード引換え請求書兼仮クレジットカード機能レシート。
（４）
本クレジットカード引き換え期日を印字した期日表示欄を更に備えた前記（１）〜（３）のいずれかに記載のクレジットカード引換え請求書兼仮クレジットカード機能レシート。
（５）
ショッピングをクレジット扱いで行える限度額を印字した利用可能枠表示欄を更に備え前記（１）〜（４）のいずれかに記載のクレジットカード引換え請求書兼仮クレジットカード機能レシート。
（６）
該レシートを、仮クレジットカードとして用いることのできる期日を表す仮カード期日表示欄を更に備えた前記（１）〜（５）のいずれかに記載のクレジットカード引換え請求書兼仮クレジットカード機能レシート。
（７）
支払日を印字した支払日表示欄を更に備えた前記（１）〜（６）のいずれかに記載のクレジットカード引換え請求書兼仮クレジットカード機能レシート。
（８）
前記（１）〜（７）のいずれかに記載の引換え請求書兼仮クレジットカード機能レシートを発行するプリンタを備えていることを特徴とするＰＯＳ装置。
（９）
前記（１）〜（７）のいずれかに記載の引換え請求書兼仮クレジットカード機能レシートのバーコード欄に表示された仮クレジットカード番号を示すバーコードを読み取って、本クレジットカードであるＩＣカード発行の作業を開始することを特徴とするクレジットカード発行装置。
【発明の効果】
【０００７】
本発明のクレジットカード引換え請求書兼仮クレジットカード機能レシートは、通常のレシートと同様の紙で構成されるので、大変に経済的で、従来の仮カードのように、生の磁気ストライプ付きプラスチックカードの在庫が不要で有り、資源の無駄にもならない。
【図面の簡単な説明】
【０００８】
【図１】発行されるクレジットカード引換え請求書兼仮クレジットカード機能レシートの表面を示す図である。
【図２】図１に示したクレジットカード引換え請求書兼仮クレジットカード機能レシートの発行と、該クレジットカード引換え請求書兼仮クレジットカード機能レシートを用いるクレジットカード発行を説明するブロック図である。
【発明を実施するための形態】
【０００９】
以下、添付図面を参照しつつ本発明の実施の形態によるクレジットカード発行装置、ＰＯＳ装置およびクレジットカード発行装置に付いて説明する。
【００１０】
図１はクレジットカード引換え請求書兼仮クレジットカード機能レシート１０（以下、単にレシート１０と表す）の表面を示す図である。
本クレジットカード引換え請求書兼仮クレジットカード機能レシート１０は、クレジットカード申込者日本語記載欄１２、クレジットカード申込者ローマ字記載欄１４、該レシートが本クレジットカードであるＩＣカードの引換券である旨を表示する引換券表示欄１６、該レシートでクレジットで買い物ができる旨を表示するクレジット表示欄１８、仮クレジットカード番号をバーコードで示したバーコード欄２０を備えている。
【００１１】
本レシート１０は、更に、前記クレジットカード申込者ローマ字記載欄に記載された「クレジットカード申込者のローマ字記載を確認して下さい」の旨のメッセージを表示する第１メッセージ欄２２を備えている。これは、本カードには、前記レシート１０に表示された申込者の名前のローマ字がそのまま表示されるので、間違えが無いか等を、申込者に確認してもらうためである。
本レシート１０は、更に、クレジットカード申込者の署名欄２４を備えている。前記申込者の名前のローマ字表記を確認してもらった上で、確認の署名をしてもらうためである。
【００１２】
本レシート１０は、本クレジットカード引き換え期日を表示する期日表示欄２６、ショッピングをクレジット扱いで行える限度額を表す利用可能枠表示欄２８を更に備えている。
本レシート１０は、該レシートを、仮クレジットカードとして用いることのできる期日を表す仮カード期日表示欄３０を更に備えている。また、本レシート１０を用いてのクレジットショッピングの支払日を表す支払日表示欄３２を更に備えている。
本レシート１０は、更に、クレジットカード発行申込受付の年月日時間を示す受付日時表示欄３４、受付番号表示欄３６、担当者表示欄３８、店舗名表示欄４０を更に備えていてもよい。
【００１３】
次に、図２を参照しつつ、前記レシート１０および本カードのＩＣカードを発行する発行システム１００について説明する。
レシートおよびＩＣカード発行システム１００は、店舗に設置され、内部にＩＣカード発行機１３０を設置したＩＣカード発行ブース（以下、単にブースと称することがある）１１０、店舗に配置され、ＩＣカードの発行申込を受け付けた旨のメモが記載された申込受付メモＭ１を発行する申込受付メモ発行機（ＰＯＳ装置）１６０、ＩＣカード申込データを入力するための申込データ入力端末１７０、前記クレジットカード引換え請求書兼仮クレジットカード機能レシート１０を発行する機能を有するレシー発行機（通常、前記のＰＯＳ装置で兼用する）１８０、前記クレジットカード引換え請求書兼仮クレジットカード機能レシート１０のバーコード欄２０に示されたバーコードでの仮クレジットカード番号を読み取って、ＩＣカードの発行を指示するＩＣカード発行指示データを送信するＩＣカード発行指示機１９０、ＩＣカード発行用ＰＣ１０４、および店舗とは遠隔の地にあるシステムセンターに設置されたセンターサーバー１０６を備えている。センターサーバー１０６は、システムセンター内にあって完全にセキュリティが保たれている。センターサーバー１０６は、カード発行の可否を審査する審査処理部１０８、カード番号を採番しカード発行データを生成するカード発行データ生成部１１１、カード発行データ生成部１１１からのカード発行データを暗号化処理等を行ってＩＣデータを生成するＩＣデータ生成処理部１１２、カード発行データ生成部１１０およびＩＣデータ生成処理部１１２からのデータを受けてＩＣデータ付きカード発行データを生成するＩＣデータ付きカード発行データ生成部１１４、ならびにＩＣデータ付きカード発行データ生成部１１４が生成したＩＣデータ付きカード発行データをプールするカード発行データファイル１１６を備えている。前記ＩＣカード発行用ＰＣ１０４と前記ＩＣカード発行指示機１９０は、前記のように別装置で構成してもよいが、コストの面等からは、通常、ＩＣカード発行用ＰＣ１０４は、前記ＩＣカード発行指示機１９０を兼用する。
【００１４】
前記申込受付メモ発行機１６０は、所定の内容のデータが入力されると、受付番号を採番し、ＩＣカード申込受付メモＭ１に受付番号を表すアラビア数字およびバーコードを印字する機能を有している。
前記申込データ入力端末１７０は、例えばスキャナ１７２を備えたタブレット端末１７４であってよい。前記ＩＣカード発行指示機１９０は、クレジットカード引換え請求書兼仮クレジットカード機能レシート１０のバーコード欄２０に示されたバーコードでの仮クレジットカード番号を読み取るバーコードリーダー１９２を備えている。
前記ＩＣカード申込受付メモＭ１は、申込者の氏名が記載された申込者氏名欄Ｒ１、受付番号が記載された受付番号欄Ｒ２および受付番号を示すバーコードが記載されたバーコード欄Ｒ３等を備えている。
【００１５】
次に、以上説明したレシートおよびＩＣカード発行システム１００を用いてのレシート１０および実際のＩＣカードの発行を説明する。
まず、操作者が、上記した申込受付メモ発行機１６０に操作者番号および申込者のお名前を入力し、所定の操作をすると、前記申込受付メモ発行機１６０は、前記申込者氏名欄Ｒ１、受付番号欄Ｒ２およびバーコード欄Ｒ３が印字されたＩＣカード申込受付メモＭ１を発行する。操作者は、このＩＣカード申込受付メモＭ１を申込者にお渡しし、申込データ入力端末１７０にご案内する。申込者は、ここで、前記ＩＣカード申込受付メモＭ１の受付番号欄Ｒ２に記載されている受付番号を入力し、運転免許証をスキャニングしての申込者データ（氏名、住所、生年月日、運転免許番号データ）の入力、その他の申込者データ（性別、電話番号、カードの種類等）の入力を行う（スキャニング入力以外は、タブレット端末１７４により行う）。すると、これらのデータから本人確認を行うと共に、この申込者データが上記センターサーバー１０６の審査処理部１０８に送られ、ＩＣカード発行の可否の審査が行われ、その可否の結果はタブレット端末１７４に表示される。結果が否の場合には、そのまま作業は終了される。結果が可の場合には、カード発行データ生成部１１１は、カード番号を採番して、カードの種類のデータ、エンボス部用のデータ、上記インデント部用のデータ、磁気ストライプ用のデータ、ＩＣチップ用のデータ等を備えたカード発行データを生成する。
【００１６】
このカード発行用データのうちＩＣチップ用のデータはＩＣデータ生成処理部１１２に送られる。ＩＣデータ生成処理部１１２は、ＩＣチップ用のデータを暗号化してＩＣデータを生成し、それをＩＣデータ付きカード発行データ生成部１１４に送る。ＩＣデータ付きカード発行データ生成部１１４には、カード発行データ生成部１１０からのカードの種類のデータ、上記エンボス部用のデータ、上記インデント部用のデータ、磁気ストライプ用のデータも送られてきており、該ＩＣデータ付きカード発行データ生成部１１４は、これらの送られてきたデータを組み合わせて、カードの種類のデータ、上記エンボス部用のデータ、上記インデント部用のデータ、磁気ストライプ用のデータ、ＩＣチップ用の暗号化されたデータ等を備えるＩＣデータ付きカード発行データを生成する。このＩＣデータ付きカード発行データは上記前記ＩＣカード申込受付メモＭ１の受付番号欄Ｒ２に記載されている受付番号とともにカード発行データファイル１１６にプールされる。
【００１７】
前記仮カード番号用のデータは、前記受付番号に紐付けられてレシート発行機１８０に送られて、記憶される。審査が可の場合には、申込者から前記ＩＣカード申込受付メモＭ１を受け取り、レシート発行機１８０のバーコードリーダーによりＩＣカード申込受付メモＭ１のバーコードを読み取り、前記レシート１０を発行する。
【００１８】
申込者は、当座の購入がある場合には、このレシート１０を用いて商品の購入を行い、当座の購入がない場合、あるいは、当座の購入が済んだ場合には、ＩＣカード発行指示機１９０の操作者にそのカードを渡し、ＩＣカードを発行して貰う。操作者は、レシート１０のバーコード欄に記録された仮カード番号をＩＣカード発行指示機１９０のカードリーダー１９２で読み取る。ＩＣカード発行指示機９０は、前記カード番号のデータとともに、ＩＣカード発行指示データをセンターサーバー１０６のカード発行データファイル１１６に送り、ＩＣカードの発行指示を行う。
【００１９】
上記ＩＣカード発行用ＰＣ１０４は、カード発行データファイル１１６に接続されており、センターサーバー１０６のカード発行データファイル１１６が前記ＩＣカード発行指示データを受け取ると、センターサーバー１０６は、カード発行データファイル１１６からＩＣデータ付きカード発行データを該ＩＣカード発行用ＰＣ１０４に送る。該ＩＣカード発行用ＰＣ１０４はそのデータを記憶する。
【００２０】
上記ＩＣカード発行用ＰＣ１０４は、上記したようにＩＣデータ付きカード発行データを記憶する（処理後はログも残らない）とともに、このＩＣデータ付きカード発行データをＩＣカード発行機１３０の制御部に送信して実際のカードの発行を指示する。
【００２１】
以上説明したように、本発明のＩＣカード発行システムにおいては、申込者からＩＣカード発行の申し込みがあった場合には、審査を通った方には、まず、レシート１０を発行し、当座はそれを用いて商品の購入などをして頂くか、即座にＩＣカードが必要な申込者には、そのレシート１０を提示して頂くことで、ＩＣカードを即座に発行するようになっているので、ＩＣカード発行用の高価な設備を１店舗（一つの百貨店）で幾つも設けることが無く、非常に経済的である。
また、申込者にとっては、シンプルな申し込みにより、ほぼその場で、簡易にＩＣカードを受け取れ非常に利便性が高い。
【符号の説明】
【００２２】
１０  クレジットカード引換え請求書兼仮クレジットカード機能レシート
１２  クレジットカード申込者日本語記載欄
１４  クレジットカード申込者ローマ字記載欄
１６  引換券表示欄
１８  クレジット表示欄
２０  バーコード欄
２２  第１メッセージ欄
２４  署名欄
２６  期日表示欄
２８  利用可能枠表示欄
３０  仮カード期日表示欄
３２  支払日表示欄
１００  レシートおよびＩＣカード発行システム
１１０  ＩＣカード発行ブース
１８０  レシート発行機
１９０  ＩＣカード発行指示機
【要約】      （修正有）【課題】クレジットカード引換え請求書兼仮クレジットカード機能レシート、そのレシートを発行することのできるＰＯＳ装置およびクレジットカード引換え請求書兼仮クレジットカード機能レシートを用いたクレジットカード発行装置を提供する。【解決手段】クレジットカード申込者日本語記載欄１２、クレジットカード申込者ローマ字記載欄１４、レシートがクレジットカードであるＩＣカードの引換券である旨を表示する引換券表示欄１６、レシートでクレジットで買い物ができる旨を表示するクレジット表示欄１８、仮クレジットカード番号をバーコードで示したバーコード欄２０を少なくとも備えている。ＰＯＳ装置は、クレジットカード引換え請求書兼仮クレジットカード機能レシート１０を発行する。また、クレジットカード発行装置は、クレジットカード引換え請求書兼仮クレジットカード機能レシートを用いてＩＣカードであるクレジットカードを発行する。【選択図】図１【図１】
0005815899.tif 000002
【図２】
0005815899.tif 000003